(57)【要約】【課題】側管の他端を特定の位置に容易に保持できる輸液セット用コネクタ及び輸液セットを提供する。【解決手段】輸液セット用コネクタ４０は、第１流路１３を形成する第１流路部材１０の一端１１に接続する第１ポート４１と、第２流路２３を形成する第２流路部材２０の一端２１に接続する第２ポート４２と、第３流路３３を形成する第３流路部材３０の一端３１に接続する第３ポート４３と、第１流路部材１０、第２流路部材２０及び第３流路部材３０のいずれかにおける一端１１、２１、３１を除く所定部分Ｐと着脱可能に係合することで所定部分Ｐを一時的に保持可能な保持部４６と、を有する。【選択図】図１
0003220783.tif 000002
【実用新案登録請求の範囲】
【請求項１】
第１流路を形成する第１流路部材の一端に接続する第１ポートと、
第２流路を形成する第２流路部材の一端に接続する第２ポートと、
第３流路を形成する第３流路部材の一端に接続する第３ポートと、
前記第１流路部材、前記第２流路部材及び前記第３流路部材のいずれかにおける前記一端を除く所定部分と着脱可能に係合することで前記所定部分を一時的に保持可能な保持部と、を有する、
輸液セット用コネクタ。
【請求項２】
前記保持部が、前記所定部分と着脱可能に係合する断面略Ｃ字形状の係合部を有する、請求項１に記載の輸液セット用コネクタ。
【請求項３】
一体成形品である、請求項１又は２に記載の輸液セット用コネクタ。
【請求項４】
前記保持部を除去するために破断可能な弱化部を有する、請求項１〜３のいずれか一項に記載の輸液セット用コネクタ。
【請求項５】
前記第１ポート、前記第２ポート及び第３ポートのうちの２つが共通の直線に沿うように配置されており、
前記第１ポート、前記第２ポート及び第３ポートのうちの残りの１つと前記保持部とが、互いに前記共通の直線を挟んだ反対側に配置されている、請求項１〜４のいずれか一項に記載の輸液セット用コネクタ。
【請求項６】
一端と瓶針からなる他端とを備えるとともに第１流路を形成する第１流路部材と、
一端と閉鎖式コネクタからなる他端とを備えるとともに第２流路を形成する第２流路部材と、
一端とコネクタからなる他端とを備えるとともに第３流路を形成する第３流路部材と、
前記第１流路部材の前記一端に接続する第１ポートと、前記第２流路部材の前記一端に接続する第２ポートと、前記第３流路部材の前記一端に接続する第３ポートと、前記第２流路部材における前記一端を除く所定部分と着脱可能に係合することで前記所定部分を一時的に保持可能な保持部とを備えるコネクタと、を有する、
輸液セット。
【考案の詳細な説明】
【技術分野】
【０００１】
本開示は、輸液セット用コネクタ及び輸液セットに関する。
【背景技術】
【０００２】
薬液等の液体を体内へ送る輸液ラインを形成するための輸液セットが知られている。輸液ラインは、輸液バッグから体内まで延在するメインライン（主管）と、メインラインに合流する１つ以上の他のライン（側管）を有する場合がある。このようなラインの合流部は、チューブなどで構成される流路形成部材の一端に接続するポートを少なくとも３つ有するコネクタ（Ｙ型コネクタ、Ｔ型コネクタ、三方活栓など）によって形成される。このようなコネクタは、例えば特許文献１に記載されている。
【先行技術文献】
【特許文献】
【０００３】
【特許文献１】特開２０１４−３０４８９号公報
【考案の概要】
【考案が解決しようとする課題】
【０００４】
合流部のコネクタに一端が接続された側管を用いないときに、この側管の他端（例えば、閉鎖式コネクタなど）を特定の位置に容易に保持できると都合が良い。
【０００５】
本開示は、このような点に鑑み、側管の他端を特定の位置に容易に保持できる輸液セット用コネクタ及び輸液セットを提供することを目的とする。
【課題を解決するための手段】
【０００６】
本考案の第１の態様としての輸液セット用コネクタは、
第１流路を形成する第１流路部材の一端に接続する第１ポートと、
第２流路を形成する第２流路部材の一端に接続する第２ポートと、
第３流路を形成する第３流路部材の一端に接続する第３ポートと、
前記第１流路部材、前記第２流路部材及び前記第３流路部材のいずれかにおける前記一端を除く所定部分と着脱可能に係合することで前記所定部分を一時的に保持可能な保持部と、を有する。
【０００７】
本考案の１つの実施形態として、
輸液セット用コネクタは、前記保持部が、前記所定部分と着脱可能に係合する断面略Ｃ字形状の係合部を有する。
【０００８】
本考案の１つの実施形態として、
輸液セット用コネクタは、一体成形品である。
【０００９】
本考案の１つの実施形態として、
輸液セット用コネクタは、前記保持部を除去するために破断可能な弱化部を有する。
【００１０】
本考案の１つの実施形態として、
輸液セット用コネクタは、
前記第１ポート、前記第２ポート及び第３ポートのうちの２つが共通の直線に沿うように配置されており、
前記第１ポート、前記第２ポート及び第３ポートのうちの残りの１つと前記保持部とが、互いに前記共通の直線を挟んだ反対側に配置されている。
【００１１】
本考案の第２の態様としての輸液セットは、
一端と瓶針からなる他端とを備えるとともに第１流路を形成する第１流路部材と、
一端と閉鎖式コネクタからなる他端とを備えるとともに第２流路を形成する第２流路部材と、
一端とコネクタからなる他端とを備えるとともに第３流路を形成する第３流路部材と、
前記第１流路部材の前記一端に接続する第１ポートと、前記第２流路部材の前記一端に接続する第２ポートと、前記第３流路部材の前記一端に接続する第３ポートと、前記第２流路部材における前記一端を除く所定部分と着脱可能に係合することで前記所定部分を一時的に保持可能な保持部とを備えるコネクタと、を有する。
【考案の効果】
【００１２】
本開示によれば、側管の他端を特定の位置に容易に保持できる輸液セット用コネクタ及び輸液セットを提供することができる。
【図面の簡単な説明】
【００１３】
【図１】本考案の一実施形態に係る輸液セットの外観図である。
【図２】図１に示す閉鎖式コネクタの斜視図である。
【図３】図２に示す閉鎖式コネクタの閉鎖状態を示す断面斜視図である。
【図４】図２に示す閉鎖式コネクタの開放状態を示す断面斜視図である。
【図５】図１に示すＹ型コネクタ及びその周辺部分の斜視図である。
【図６】図５と異なる角度で示すＹ型コネクタ及びその周辺部分の斜視図である。
【図７】図１に示すＹ型コネクタの断面図である。
【図８】図６に示すＹ型コネクタの変形例の斜視図である。
【考案を実施するための形態】
【００１４】
以下、図面を参照して、本考案の実施形態に係る輸液セット用コネクタ及び輸液セットについて詳細に例示説明する。
【００１５】
図１に示すように、本実施形態に係る輸液セット１は、第１流路部材１０、第２流路部材２０、第３流路部材３０及びＹ型コネクタ４０（本実施形態に係る輸液セット用コネクタ）を有している。第１流路部材１０及び第２流路部材２０には、それぞれ、液体の流れの許容と停止とを切替えるクランプ５０が取り付けられている。第３流路部材３０には、液体の流量を調節するクレンメ６０が取り付けられている。
【００１６】
第１流路部材１０は、一端１１と瓶針７０からなる他端１２とを有している。瓶針７０は、例えば、生理食塩液又は制吐剤などの液体を収容する輸液バッグ（図示省略）に接続することができる。第１流路部材１０は、第１流路１３を形成している。第１流路部材１０は、瓶針７０と、瓶針７０に接続する第１チューブ１４と、を有している。第１流路部材１０の一端１１は、第１チューブ１４の一端からなっている。第１チューブ１４の他端は、瓶針７０に接続している。第１流路部材１０のクランプ５０は、第１チューブ１４に取り付けられている。
【００１７】
第２流路部材２０は、一端２１と閉鎖式コネクタ８０からなる他端２２とを有している。閉鎖式コネクタ８０は、例えば、抗癌剤などの液体を収容する輸液バッグに接続するコネクタ（図示省略）に接続することができる。第２流路部材２０は、第２流路２３を形成している。第２流路部材２０は、閉鎖式コネクタ８０と、閉鎖式コネクタ８０に接続する第２チューブ２４と、を有している。第２流路部材２０の一端２１は、第２チューブ２４の一端からなっている。第２チューブ２４の他端は、閉鎖式コネクタ８０に接続している。第２流路部材２０のクランプ５０は、第２チューブ２４に取り付けられている。
【００１８】
第３流路部材３０は、一端３１と開放式コネクタ９０からなる他端３２とを有している。第３流路部材３０は、開放式コネクタ９０の替わりに、閉鎖式コネクタなどの所望のコネクタを有していてもよい。開放式コネクタ９０は、例えば、人体などの体内に挿入されるカテーテルなどによって構成される流路形成部材の端部に設けられるコネクタ（図示省略）に接続することができる。第３流路部材３０は、第３流路３３を形成している。第３流路部材３０は、点滴筒１００と、点滴筒１００の一端に接続する第３チューブ３４と、点滴筒１００の他端及び開放式コネクタ９０に接続する第４チューブ３５と、を有している。第３流路部材３０の一端３１は、第３チューブ３４の一端からなっている。第３チューブ３４の他端は、点滴筒１００の一端に接続している。第４チューブ３５の一端は、点滴筒１００の他端に接続している。第４チューブ３５の他端は、開放式コネクタ９０に接続している。クレンメ６０は、第４チューブ３５に取り付けられている。
【００１９】
図２〜図４に示すように、閉鎖式コネクタ８０は、第２チューブ２４の他端に固着などの適宜の手段によって接続された一端を有する管状部８１を有している。管状部８１の他端には、この他端に設けられたポート８２を開閉可能な弁体８３が設けられている。弁体８３がポート８２を閉鎖しているときの状態（閉鎖状態）を図３に示す。また、弁体８３がポート８２を開放しているときの状態（開放状態）を図４に示す。弁体８３は、管状部８１の内部において管状部８１の軸方向に移動可能な頭部８３ａと、頭部８３ａを軸方向に付勢する胴部８３ｂと、を有している。頭部８３ａは、管状部８１の他端に位置するときにポート８２を閉鎖する。頭部８３ａは、管状部８１の他端から管状部８１の一端に向けて移動することで、ポート８２を開放する。胴部８３ｂは、管状部８１の一端側から管状部８１の他端側に向けて頭部８３ａを付勢する。頭部８３ａは、閉鎖式コネクタ８０の接続対象のコネクタが有する管状部（図示省略）がポート８２に挿入されることにより、この管状部によって、胴部８３ｂの付勢力に抗して押し込まれる。その結果、この管状部の流路と管状部８１の流路とが連通する。閉鎖式コネクタ８０は、この流路同士の連通状態を維持するようにコネクタ同士を係合させる２つの係止爪８４を有している。閉鎖式コネクタ８０に替えて、任意の公知の閉鎖式コネクタを用いてもよい。
【００２０】
図１に示すように、Ｙ型コネクタ４０は、第１流路部材１０の一端１１に接続する第１ポート４１と、第２流路部材２０の一端２１に接続する第２ポート４２と、第３流路部材３０の一端３１に接続する第３ポート４３と、を有している。
【００２１】
図５〜図７に示すように、Ｙ型コネクタ４０は、第１ポート４１から第３ポート４３まで直線状に延在する第１内腔４４ａを区画する第１管状部４４と、第２ポート４２から第１内腔４４ａと合流するまで直線状に延在する第２内腔４５ａを区画する第２管状部４５と、を有している。第１ポート４１と第３ポート４３とは、共通の直線Ｌに沿うように配置されている。
【００２２】
Ｙ型コネクタ４０は、第１管状部４４と第２管状部４５とが鋭角をなすように接合したＹ字状をなしている。しかし、Ｙ型コネクタ４０は、第１管状部４４と第２管状部４５とが直角をなすように接合したＴ字状をなすＴ型コネクタとして構成されてもよい。
【００２３】
第１ポート４１は、第１流路部材１０の一端１１と固着によって接続されている。しかし、第１ポート４１は、第１流路部材１０の一端１１と着脱可能に接続するように構成されてもよい。この場合、第１ポート４１は、ポートを開閉可能な弁体を有する閉鎖式ポートとして構成されてもよい。第２ポート４２は、第２流路部材２０の一端２１と固着によって接続されている。しかし、第２ポート４２は、第２流路部材２０の一端２１と着脱可能に接続するように構成されてもよい。この場合、第２ポート４２は、閉鎖式ポートとして構成されてもよい。第３ポート４３は、第３流路部材３０の一端３１と固着によって接続されている。しかし、第３ポート４３は、第３流路部材３０の一端３１と着脱可能に接続するように構成されてもよい。この場合、第３ポート４３は、閉鎖式ポートとして構成されてもよい。
【００２４】
Ｙ型コネクタ４０は、合成樹脂の射出成形によって一体に成形された一体成形品である。しかし、Ｙ型コネクタ４０の材質及び製法は適宜変更が可能である。Ｙ型コネクタ４０を、複数の部品を互いに固定することで一体に構成してもよい。
【００２５】
図１に示すように、Ｙ型コネクタ４０は、第２流路部材２０における一端２１を除く所定部分Ｐと着脱可能に係合することで所定部分Ｐを一時的に保持可能な保持部４６を有している。図１において、保持部４６に一時的に保持された状態の第２流路部材２０及びクランプ５０を二点鎖線で示している。なお、図示は省略するが、所定部分Ｐを保持部４６に一時的に保持する際に、閉鎖式コネクタ８０のポート８２の周辺部分を汚染から守るためのカバー部材を閉鎖式コネクタ８０に取り付けるようにしてもよい。所定部分Ｐは、第２チューブ２４の他端からなっている。しかし、所定部分Ｐは、第２チューブ２４の他端に限らず、例えば、閉鎖式コネクタ８０の一部であってもよい。
【００２６】
第２ポート４２と保持部４６とは、互いに直線Ｌを挟んだ反対側に配置されている。すなわち、直線Ｌを含む平面であって、当該平面上において第２ポート４２と保持部４６とが直線Ｌを挟んだ反対側に位置するような平面が存在している。しかし、Ｙ型コネクタ４０における保持部４６の配置は、このような配置に限らず、適宜変更が可能である。
【００２７】
図５〜図６に示すように、保持部４６は、所定部分Ｐと着脱可能に係合する断面略Ｃ字形状の係合部４６ａを有している。係合部４６ａは、互いに対向する周方向の両端部を有しており、係合部４６ａの弾性変形によって両端部間の間隔Ｇを変化させることができる。したがって、所定部分Ｐを係合部４６ａの両端部に外側から押し付けて係合部４６ａを弾性変形させることで間隔Ｇを広げ、両端部間を通過させることで、所定部分Ｐを係合部４６ａの内部に挿入することができる。また、所定部分Ｐを係合部４６ａの両端部に内側から押し付けて係合部４６ａを弾性変形させることで間隔Ｇを広げ、両端部間を通過させることで、所定部分Ｐを係合部４６ａから抜脱することができる。断面略Ｃ字形状とは、このような、係合部４６ａの弾性変形による間隔Ｇを通した挿入及び抜脱が可能な形状を意味し、断面Ｃ字形状に限らず、例えば断面Ｕ字形状であってもよい。
【００２８】
係合部４６ａは、直線Ｌと垂直な断面において略Ｃ字形状をなしている。しかし、係合部４６ａは、他の断面において略Ｃ字形状をなしていてもよい。係合部４６ａは、例えば、直線Ｌを含む断面において略Ｃ字形状をなしていてもよい。
【００２９】
保持部４６は、直線Ｌを含む平面に沿う板状の接続壁４７によって第１管状部４４と一体に連なっている。接続壁４７は、保持部４６における間隔Ｇが設けられた部分と反対側の部分と、第１管状部４４における直線Ｌを挟んだ第２管状部４５と反対側の部分とを連結している。
【００３０】
図１に示すように、輸液セット１によれば、第１流路部材１０、Ｙ型コネクタ４０及び第３流路部材３０で構成される主管と、第２流路部材２０及びＹ型コネクタ４０で構成される側管と、を有する輸液ラインを形成することができる。また、輸液セット１によれば、側管を用いないときに、この側管の所定部分ＰをＹ型コネクタ４０の保持部４６の係合部４６ａに保持しておくことができる。このように、輸液セット１によれば、側管を用いないときに、側管の他端である閉鎖式コネクタ８０をＹ型コネクタ４０近傍である特定の位置に容易に保持しておくことができる。
【００３１】
また、主管を用いて生理食塩液又は制吐剤を人体などの体内に投与した後、側管に設けられた閉鎖式コネクタ８０を、抗癌剤が収容された輸液バッグに接続するコネクタに接続し、側管から抗癌剤を投与する場合には、抗癌剤を投与する前、及び／又は、抗癌剤を別の抗癌剤に交換するときに、側管の他端である閉鎖式コネクタ８０をＹ型コネクタ４０近傍である特定の位置に容易に保持しておくことができる。
【００３２】
図８に示す変形例のように、Ｙ型コネクタ４０は、保持部４６を除去するために破断可能な弱化部４８を有していてもよい。図８において、前述した部分に対応する部分には同一の符号を付している。弱化部４８は、保持部４６と第１管状部４４との間で接続壁４７を横断する溝で構成されている。溝は、接続壁４７の両面に設けられている。しかし、溝は、接続壁４７の片面のみに設けられてもよい。弱化部４８は、このような溝に限らず、例えばミシン目で構成されてもよい。
【００３３】
前述した実施形態は、本考案の実施形態の一例にすぎず、考案の要旨を逸脱しない範囲で種々変更可能であることはいうまでもない。
【００３４】
前述した実施形態ではＹ型コネクタ４０は、第１ポート４１、第２ポート４２及び第３ポート４３からなる３つのポートを有している。しかし、Ｙ型コネクタ４０は、４つ以上のポートを有してもよい。
【００３５】
前述した実施形態ではＹ型コネクタ４０は、流路切替え部を有していない。しかし、Ｙ型コネクタ４０は、第３ポート４３を第１ポート４１のみに連通させる状態と、第３ポート４３を第２ポート４２のみに連通させる状態と、の間で流路を切替える流路切替え部を有する三方活栓として構成されてもよい。
【符号の説明】
【００３６】
１  輸液セット
１０  第１流路部材
１１  一端
１２  他端
１３  第１流路
１４  第１チューブ
２０  第２流路部材
２１  一端
２２  他端
２３  第２流路
２４  第２チューブ
３０  第３流路部材
３１  一端
３２  他端
３３  第３流路
３４  第３チューブ
３５  第４チューブ
４０  Ｙ型コネクタ（輸液セット用コネクタ）
４１  第１ポート
４２  第２ポート
４３  第３ポート
４４  第１管状部
４４ａ  第１内腔
４５  第２管状部
４５ａ  第２内腔
４６  保持部
４６ａ  係合部
４７  接続壁
４８  弱化部
５０  クランプ
６０  クレンメ
７０  瓶針
８０  閉鎖式コネクタ
８１  管状部
８２  ポート
８３  弁体
８３ａ  頭部
８３ｂ  胴部
８４  係止爪
９０  開放式コネクタ
１００  点滴筒
Ｌ  直線
Ｐ  所定部分
Ｇ  間隔
【図１】
0003220783.tif 000003
【図２】
0003220783.tif 000004
【図３】
0003220783.tif 000005
【図４】
0003220783.tif 000006
【図５】
0003220783.tif 000007
【図６】
0003220783.tif 000008
【図７】
0003220783.tif 000009
【図８】
0003220783.tif 000010